(57)【要約】      （修正有）【課題】可視光線と紫外線を順次に照射して紫外線が照射された媒体の表面を読み取る場合と、紫外線を単独で照射して媒体の表面を読み取る場合で、取得される媒体の表面画像に差異が現われることを防止あるいは抑制できる画像読取装置を提供する。【解決手段】小切手処理装置５（画像読取装置）は、可視光からなる読取光と紫外線読取光を順次に照射して画像を取得する第１動作モードでは、小切手（媒体）の表面に紫外線読取光を照射した第２の表面画像を取得する際に、読取部から出力される読取情報を紫外線読取光用第１補正値３３ＵＶ１で補正した補正読取情報に基づいて画像を取得する。一方、紫外線読取光を単独で照射して画像を取得する第２動作モードにおいて表面画像Ｇを取得する場合には、読取部から出力される読取情報を紫外線読取光用第２補正値３３ＵＶ２で補正した補正読取情報に基づいて画像を取得する。【選択図】図２
2016010022.tif 000002
【特許請求の範囲】
【請求項１】
読取光が照射された媒体の表面を読み取って読取情報を出力する撮像素子と、
前記読取光として紫外線とは波長の異なる第１の光線を照射する第１の光源と、
前記読取光として紫外線の第２の光線を照射する第２の光源と、
前記撮像素子、前記第１の光源および前記第２の光源を駆動制御する制御部と、
を有し、
前記制御部は、前記第１の光線と前記第２の光線とをこの順番で順次に照射して前記媒体の表面を読み取る第１動作モードでは、前記第２の光線が照射されている間に蓄積された前記読取情報を第１補正値で補正し、前記第２の光線を単独で照射して前記媒体の表面を読み取る第２動作モードでは、前記第２の光線が照射されている間に蓄積された前記読取情報を第２補正値で補正する読取情報補正部を備えることを特徴とする画像読取装置。
【請求項２】
請求項１において、
前記読取情報補正部により補正された前記読取情報に基づいて前記媒体の表面画像を取得する画像取得部、を有することを特徴とする画像読取装置。
【請求項３】
請求項１または２において、
前記媒体を前記撮像素子による画像読取位置を経由させて搬送する搬送機構を有し、
前記制御部は、前記搬送機構を駆動制御し、前記第１動作モードでは、前記画像読取位置において前記媒体を読取解像度に対応する１ライン分の搬送量だけ搬送する間に、前記第２の光線と前記第１の光線とを照射することを特徴とする画像読取装置。
【請求項４】
請求項１ないし３のうちのいずれかの項において、
前記第１補正値および前記第２補正値を記憶保持する記憶部を備えることを特徴とする画像読取装置。
【請求項５】
請求項１ないし４のうちのいずれかの項において、
前記第１補正値は、予め定めた基準部材の表面に前記第１の光線と前記第２の光線とを所定の時間内にこの順番で順次に照射して当該基準部材の表面を読み取ったときに、前記第２の光線が照射されている間に前記撮像素子に蓄積された読取情報に基づいて設定されることを特徴とする画像読取装置。
【請求項６】
請求項５において、
前記第２補正値は、前記基準部材の表面に前記第２の光線を単独で照射して当該基準部材の表面を読み取ったときに前記撮像素子に蓄積された読取情報に基づいて設定されることを特徴とする画像読取装置。
【請求項７】
請求項１ないし６のうちのいずれかの項に記載の画像読取装置と、
前記画像読取装置における動作モードを、前記第１動作モードまたは前記第２動作モードに設定する動作モード設定装置と、
を有することを特徴とする画像読取システム。
【発明の詳細な説明】
【技術分野】
【０００１】
本発明は、紫外線が照射されたときに可視光線を反射するインクで印刷された印刷部分を含む画像を読み取る画像読取装置および画像読取システムに関する。
【背景技術】
【０００２】
小切手が持ち込まれた金融機関では、小切手を小切手処理装置に掛け、小切手に印刷された磁気インク文字を磁気的に読み取り、取得した磁気情報に基づいて決済処理を行う。また、金融機関では、磁気インク文字の読み取りと並行して、小切手処理装置によって可視光線を照射した小切手の表面を読み取り、取得した表面画像を決済の証拠として保存する。さらに、金融機関では、小切手として、紫外線を照射したときに可視光線（蛍光）を反射するインク（以下、ＵＶ発光インクという）で偽造防止用画像が印刷されたものが用いられる場合には、小切手処理装置によって紫外線を照射した小切手の表面を読み取り、取得した表面画像を小切手の真贋判定のために利用する。
【０００３】
このような小切手の決済処理に用いることが可能な小切手処理装置は特許文献１に記載がある。同文献の小切手処理装置は、磁気インク文字を磁気的に読み取る磁気センサーと、小切手の表面に読取光を照射して表面画像を取得するイメージセンサーを搭載する。小切手処理装置は、磁気センサーによる磁気読取位置およびイメージセンサーによる画像読取位置を経由する搬送路に沿って小切手を搬送し、磁気読取位置において磁気インク文字を読み取り、画像読取位置において媒体の表面を読み取る。イメージセンサーは、読取光として可視光線と紫外線を射出する。
【０００４】
ここで、イメージセンサーを搭載する装置では、撮像素子の個体差や読取光を照射する発光素子の個体差により、装置毎に、媒体から取得した表面画像の色相や色調にばらつきが生じることがある。従って、このような装置では、装置の出荷前に表面画像の色相や色調を補正するためのキャリブレーションを行い、キャリブレーションにより設定される補正値によって撮像素子から出力される読取情報を補正し、補正した読取情報に基づいて表面画像を取得することが行われる。特許文献２には、画像形成装置におけるキャリブレーションの方法の記載がある。
【先行技術文献】
【特許文献】
【０００５】
【特許文献１】特開２０１３−７０２２５号公報
【特許文献２】特開２０１０−２６３３４５号公報
【発明の概要】
【発明が解決しようとする課題】
【０００６】
特許文献１に記載の小切手処理装置において、可視光線を照射した小切手の第１の表面画像と紫外線を照射した小切手の第２の表面画像を取得する場合には、２通りの取得方法がある。第１の取得方法は、小切手を搬送路に沿って１回搬送する間に第１の表面画像と第２の表面画像を並行して取得するものである。第１の取得方法では、小切手が画像読取位置で読取解像度に対応する１ライン分の搬送量だけ搬送される間に、小切手の表面に可視光線と紫外線をこの順番で順次に照射し、可視光線が照射された小切手の１ライン分の表面部分と、紫外線が照射された小切手の１ライン分の表面部分を逐次に読み取り、第１の表面画像と第２の表面画像を取得する。第２の取得方法は、小切手を搬送路に沿って２回搬送する方法である。第２の取得方法では、１回目の搬送時に、画像読取位置を通過する小切手に可視光線を照射して第１の表面画像を取得し、２回目の搬送時に、画像読取位置を通過する小切手に紫外線を照射して第２の表面画像を取得する。
【０００７】
ここで、読取光として紫外線を照射した小切手の表面を読み取る際の補正値がキャリブレーションによって設定されていれば、第１の取得方法で第２の表面画像を取得した場合でも、第２の取得方法で第２の表面画像を取得した場合でも、同一の画像を取得できるはずである。しかし、実際には、第１の取得方法で取得した第２の表面画像と、第２の取得方法で取得した第２の表面画像との間で色調（明度・輝度）の差が発生し、同一の画像を得ることができないことがある。これら２つの取得方法の間で同一の画像を得ることができない理由は明確ではないが、第１の取得方法において可視光線と紫外線とをこの順番で順次に切り換える場合には、紫外線を照射する光源の光量が、第２の取得方法において紫外線を照射する場合よりも低くなることがあり、これが理由として考えられる。或いは、紫外線の前に照射された読取光の残光が、その理由として考えられる。
【０００８】
本発明の課題は、このような点に鑑みて、可視光線と紫外線を順次に照射して紫外線が照射された媒体の表面を読み取る場合と、紫外線を単独で照射して媒体の表面を読み取る場合で、取得される媒体の表面画像に差異が現われることを防止あるいは抑制できる画像読取装置および画像読取システムを提供することにある。
【課題を解決するための手段】
【０００９】
上記の課題を解決するために、本発明の画像読取装置は、読取光が照射された媒体の表面を読み取って読取情報を出力する撮像素子と、前記読取光として紫外線とは波長の異なる第１の光線を照射する第１の光源と、前記読取光として紫外線の第２の光線を照射する第２の光源と、前記撮像素子、前記第１の光源および前記第２の光源を駆動制御する制御部と、を有し、前記制御部は、前記第１の光線と前記第２の光線とをこの順番で順次に照射して前記媒体の表面を読み取る第１動作モードでは、前記第２の光線が照射されている間に蓄積された前記読取情報を第１補正値で補正し、前記第２の光線を単独で照射して前記媒体の表面を読み取る第２動作モードでは、前記第２の光線が照射されている間に蓄積された前記読取情報を第２補正値で補正する読取情報補正部を備えることを特徴とする。
【００１０】
本発明によれば、可視光線と紫外線を順次に照射して紫外線が照射された媒体の表面を読み取る場合と紫外線を単独で照射して媒体の表面を読み取る場合で、読取情報補正部が、異なる補正値を用いて撮像素子から出力される読取情報を補正する。従って、表面画像を読み取る動作モードが異なる場合でも、取得される媒体の表面画像に差異が現われることを防止あるいは抑制できる。
【００１１】
本発明において、前記読取情報補正部により補正された前記読取情報に基づいて前記媒体の表面画像を取得する画像取得部、を有するものとすることができる。このようにすれば、動作モードが異なった場合でも、同一の表面画像または差異の少ない表面画像を取得できる。
【００１２】
本発明において、前記媒体を前記撮像素子による画像読取位置を経由させて搬送する搬送機構を有し、前記制御部は、前記搬送機構を駆動制御し、前記第１動作モードでは、前記画像読取位置において前記媒体を読取解像度に対応する１ライン分の搬送量だけ搬送する間に、前記第２の光線と前記第１の光線とを照射するものとすることができる。このようにすれば、第１動作モードにおいて、媒体が搬送路に沿って１回搬送される間に、第１の光線を照射した場合の媒体の表面と第２の読取光を照射した場合の媒体の表面を並行して読み取ることが可能となる。
【００１３】
本発明において、前記第１補正値および前記第２補正値を記憶保持する記憶部を備えることが望ましい。このようにすれば、装置の出荷前などにキャリブレーションを行って第１補正値および第２補正値を設定し、設定した第１補正値および第２補正値を記憶部に記憶保持しておくことができる。また、読取情報補正部は、記憶部を参照することにより第１補正値または第２補正値を取得できる。
【００１４】
本発明において、前記第１補正値は、予め定めた基準部材の表面に前記第１の光線と前記第２の光線とを所定の時間内にこの順番で順次に照射して当該基準部材の表面を読み取ったときに、前記第２の光線が照射されている間に前記撮像素子に蓄積された読取情報に基づいて設定されるものとすることができる。このようにすれば、キャリブレーションにおいて撮像素子に基準部材を読み取らせることにより、第１補正値を設定できる。
【００１５】
本発明において、前記第２補正値は、前記基準部材の表面に前記第２の光線を単独で照射して当該基準部材の表面を読み取ったときに前記撮像素子に蓄積された読取情報に基づいて設定されるものとすることができる。このようにすれば、キャリブレーションにおいて撮像素子に基準部材を読み取らせることにより、第２補正値を設定できる。
【００１６】
次に、本発明の画像読取システムは、上記の画像読取装置と、前記画像読取装置における動作モードを、前記第１動作モードまたは前記第２動作モードに設定する動作モード設定装置と、を有することを特徴とする。
【００１７】
本発明によれば、動作モード設定装置により、画像読取装置における動作モードを所望のものに設定できる。
【図面の簡単な説明】
【００１８】
【図１】本発明を適用した小切手処理システムの説明図である。
【図２】小切手処理システムの制御系を示すブロック図である。
【図３】小切手処理装置が取得する小切手の表面画像の説明図である。
【発明を実施するための形態】
【００１９】
以下に、図面を参照して、本発明を適用した画像読取装置の実施の形態である小切手処理装置を説明する。
【００２０】
（小切手処理装置）
図１（ａ）は小切手処理システムの説明図であり、図１（ｂ）は小切手の説明図である。小切手処理システム（画像読取システム）１は、小切手２による決済処理などを行うものである。図１（ａ）に示すように、小切手処理システム１は、小切手処理装置５と、小切手処理装置５にケーブル６で接続された制御装置（動作モード設定装置）７を備える。制御装置７は装置本体８と、装置本体８に接続された入力装置９およびディスプレイ１０を備える。装置本体８はコンピューターである。
【００２１】
小切手処理装置５は、金融機関に持ち込まれた小切手２から、小切手２が担持する磁気情報と小切手２の表面画像を取得する。制御装置７は、小切手処理装置５を制御する制御命令を小切手処理装置５に送信する。また、制御装置７は、小切手処理装置５が取得した磁気情報を受信し、磁気情報と入力装置９から入力される入力情報に基づいて決済処理を行う。さらに、制御装置７は小切手処理装置５が取得した小切手２の表面画像を受信して磁気情報と共に記憶保持する。
【００２２】
ここで、金融機関に持ち込まれる小切手２の表面２ａには、図１（ｂ）に示すように、磁気インクにより印刷された顧客の口座番号などを表した磁気インク文字１１の印刷がある。また、小切手２の表面２ａには、紫外線を照射したときに可視光線（蛍光）を反射するＵＶ発光インクにより印刷された偽造防止用画像１２の印刷がある。
【００２３】
小切手処理装置５は、図１（ａ）に示すように、磁気センサー１５と、イメージセンサー１６と、磁気センサー１５による磁気読取位置Ａとイメージセンサー１６による画像読取位置Ｂを経由して延びる搬送路１７を備える。また、小切手処理装置５は、搬送路１７に挿入された小切手２を搬送路１７に沿って搬送して磁気読取位置Ａと画像読取位置Ｂを通過させる搬送機構１８を備える。搬送機構１８は搬送路１７に挿入された小切手２を挟持した状態で送り出す搬送ローラー対１９と、搬送ローラー対１９を駆動する搬送モーター２０（図２参照）を備える。
【００２４】
磁気センサー１５は磁気読取面２１を搬送路１７に向けて配置される。磁気センサー１５は、磁気読取位置Ａを通過する小切手２から磁気インク文字１１を読み取る。
【００２５】
イメージセンサー１６は、画像読取位置Ｂを通過する小切手２に読取光を照射して小切手２からの読取光の反射光を読み取るＣＩＳ（Contact Image Sensor）モジュールである。イメージセンサー１６は、発光部（光源）２５および読取部（撮像素子）２６を搬送路１７に向けて配置される。
【００２６】
発光部２５は小切手２の搬送方向Ｃと直交する上下方向に線状に設けられる。発光部２５は、発光素子として、赤色読取光（第１の光線）を射出する複数の赤色発光素子２５Ｒ、緑色読取光（第１の光線）を射出する複数の緑色発光素子２５Ｇ、青色読取光（第１の光線）を射出する複数の青色発光素子２５Ｂ、および、紫外線からなる紫外線読取光（第２の光線）を射出する複数の紫外線発光素子２５ＵＶを備える。各読取光を照射する複数の発光素子２５Ｒ、２５Ｇ、２５Ｂ、２５ＵＶは、それぞれ上下方向に延びる線状に配列される。なお、発光部２５は複数の発光素子が配列される構成のほか、各色の発光素子を上下方向に延びる導光体の端部に配置する構成であっても良い。
【００２７】
読取部２６は発光部２５に沿って上下方向に線状に設けられる。読取部２６はＣＭＯＳセンサーなどの撮像素子からなる。読取部２６（撮像素子）は、小切手２に各読取光が照射されたタイミングで、画像読取位置Ｂを通過する小切手２を上下方向に延びる１ライン毎、逐次、に読み取る。
【００２８】
ここで、小切手処理装置５は、小切手処理動作の動作モードとして、第１動作モードと第２動作モードを有する。
【００２９】
第１動作モードは、小切手２による決済処理を行うためのものである。第１動作モードでは、磁気センサー１５により磁気インク文字１１を読み取って磁気情報を取得するとともに、イメージセンサー１６により小切手２の表面２ａを読み取って第１の表面画像と第２の表面画像を取得する。第１の表面画像は可視光線読取光（赤色読取光、青色読取光、緑色読取光）を小切手２に照射した場合のグレースケール（コンポジットグレー）の画像であり、第２の表面画像は紫外線読取光を小切手２に照射した場合のグレースケールの画像である。また、小切手処理装置５は、取得した磁気情報、第１の表面画像および第２の表面画像を制御装置７に送信する。
【００３０】
第２動作モードは、小切手２の真贋を判定する真贋判定処理を行うためのものである。第２動作モードでは、イメージセンサー１６により小切手２の表面２ａを読み取って１枚の表面画像を取得する。表面画像は、紫外線読取光を小切手２に照射した場合の画像である。また、小切手処理装置５は、取得した表面画像を制御装置７に送信する。
【００３１】
（制御系）
図２は小切手処理システム１の制御系を示す概略ブロック図である。図２に示すように、小切手処理装置５の制御系は、ＣＰＵや画像展開用メモリーなどを搭載する制御部３１を中心に構成される。制御部３１には、制御装置７との間で通信を行うための通信インターフェースを備える通信部３２が接続される。また、制御部３１には、搬送モーター２０、磁気センサー１５およびイメージセンサー１６が不図示のドライバーを介して接続される。さらに、制御部３１には、補正値記憶部（記憶部）３３が接続される。補正値記憶部３３には赤色読取光用補正値３３Ｒ、緑色読取光用補正値３３Ｇ、青色読取光用補正値３３Ｂ、紫外線読取光用第１補正値３３ＵＶ１および紫外線読取光用第２補正値３３ＵＶ２が記憶保持される。
【００３２】
制御部３１は、制御装置７から通信部３２を介して供給される動作モード設定命令に基づいて、小切手処理動作の動作モードを第１動作モードまたは第２動作モードに設定するモード設定部３５を備える。また、制御部３１は、駆動制御部３６、磁気情報認識部３７、読取情報補正部３８、画像取得部３９および補正値設定部４０を備える。
【００３３】
駆動制御部３６は、搬送モーター２０、磁気センサー１５およびイメージセンサー１６を駆動制御する。
【００３４】
駆動制御部３６は、動作モードが第１動作モードに設定されているときに制御装置７から処理動作開始命令が供給されると、搬送モーター２０を駆動して小切手２を搬送路１７に沿って搬送する。また、駆動制御部３６は、磁気センサー１５を駆動して当該磁気センサー１５に磁気読取位置Ａを通過する小切手２から磁気インク文字１１を読み取らせるとともに、イメージセンサー１６を駆動して当該イメージセンサー１６に画像読取位置Ｂを通過する小切手２の表面２ａを読み取らせる。
【００３５】
第１動作モードにおいて駆動制御部３６は、イメージセンサー１６による小切手２の表面２ａの読み取りに際し、小切手２を画像読取位置Ｂで読取解像度に対応する１ライン分の搬送量だけ搬送する間に、発光部２５から小切手２の表面２ａに赤色読取光、緑色読取光、青色読取光、および、紫外線読取光をこの順番で順次に照射する。そして、駆動制御部３６は、小切手２が１ライン分の搬送量だけ搬送される毎に、読取部２６に、赤色読取光が照射された小切手２の１ライン分の表面部分、青色読取光が照射された小切手２の１ライン分の表面部分、緑色読取光が照射された小切手２の１ライン分の表面部分、紫外線読取光が照射された小切手２の１ライン分の表面部分を逐次に読みとらせる。
【００３６】
また、駆動制御部３６は、動作モードが第２動作モードに設定されているときに制御装置７から処理動作開始命令が供給されると、搬送モーター２０を駆動して小切手２を搬送路１７に沿って搬送するとともに、イメージセンサー１６を駆動して当該イメージセンサー１６に画像読取位置Ｂを通過する小切手２の表面２ａを読み取らせる。
【００３７】
第２動作モードにおいて駆動制御部３６は、イメージセンサー１６による小切手２の表面２ａの読み取りに際し、小切手２を画像読取位置Ｂで１ライン分の搬送量だけ搬送する間に、発光部２５から小切手２の表面２ａに紫外線読取光を単独で照射する。そして、駆動制御部３６は小切手２が１ライン分の搬送量だけ搬送される毎に、読取部２６に、紫外線読取光が照射された小切手２の１ライン分の表面部分を逐次に読みとらせる。
【００３８】
磁気情報認識部３７は、磁気読取位置Ａを通過する小切手２の磁気インク文字１１から磁気センサー１５が読み取った磁気読取情報（検出信号）に基づいて、磁気インク文字１１を認識する。磁気インク文字１１の認識は、磁気センサー１５から出力される磁気読取情報と、予め記憶保持した磁気インク文字１１の信号波形パターンとを照合して行われる。磁気情報認識部３７は磁気インク文字１１の認識結果を磁気情報として取得する。そして、磁気情報認識部３７は、取得した磁気情報を制御装置７に送信する。
【００３９】
読取情報補正部３８は、読取部２６（撮像素子）から出力される読取情報を、補正値記憶部３３に記憶保持された各補正値で補正する。
【００４０】
すなわち、読取情報補正部３８は、動作モードが第１動作モードに設定されている場合には、赤色読取光が照射されている間に読取部２６に蓄積された読取情報を赤色読取光用補正値３３Ｒで補正し、緑色読取光が照射されている間に読取部２６に蓄積された読取情報を緑色読取光用補正値３３Ｇで補正し、青色読取光が照射されている間に読取部２６に蓄積された読取情報を青色読取光用補正値３３Ｂで補正し、紫外線読取光が照射されている間に読取部２６に蓄積された読取情報を紫外線読取光用第１補正値３３ＵＶ１で補正する。また、読取情報補正部３８は、動作モードが第２動作モードに設定されている場合には、紫外線読取光が照射されている間に読取部２６に蓄積された読取情報を紫外線読取光用第２補正値３３ＵＶ２で補正する。
【００４１】
画像取得部３９は、読取情報補正部３８によって補正された読取情報である補正読取情報に基づいて、小切手２の表面画像を取得する。
【００４２】
すなわち、画像取得部３９は、動作モードが第１動作モードに設定されている場合には、赤色読取光が照射されている間に読取部２６に蓄積された読取情報を赤色読取光用補正値３３Ｒで補正した補正読取情報、緑色読取光が照射されている間に読取部２６に蓄積された読取情報を緑色読取光用補正値３３Ｇで補正した補正読取情報、青色読取光が照射されている間に読取部２６に蓄積された読取情報を青色読取光用補正値３３Ｂで補正した補正読取情報に基づいて、第１の表面画像Ｇ１（図３（ａ）参照）を取得する。また、画像取得部３９は、紫外線読取光が照射されている間に読取部２６に蓄積された読取情報を、紫外線読取光用第１補正値３３ＵＶ１で補正した補正読取情報に基づいて、第２の表面画像Ｇ２（図３（ａ）参照）を取得する。
【００４３】
また、画像取得部３９は、動作モードが第２動作モードに設定されている場合には、紫外線読取光が照射されている間に読取部２６に蓄積された読取情報を紫外線読取光用第２補正値３３ＵＶ２で補正した補正読取情報に基づいて、表面画像Ｇ（図３（ｂ）参照）を取得する。
【００４４】
さらに、画像取得部３９は、取得した表面画像（第１の表面画像Ｇ１、第２の表面画像Ｇ２、表面画像Ｇ）を制御装置７に送信する。
【００４５】
補正値設定部４０は、小切手処理装置５の出荷前などに行われるキャリブレーションにおいて、赤色読取光用補正値３３Ｒ、緑色読取光用補正値３３Ｇ、青色読取光用補正値３３Ｂ、紫外線読取光用第１補正値３３ＵＶ１および紫外線読取光用第２補正値３３ＵＶ２を設定する。また、設定した各補正値３３Ｒ、３３Ｇ、３３Ｂ、３３ＵＶ１、３３ＵＶ２を補正値記憶部３３に記憶保持する。
【００４６】
本例では、キャリブレーションとして、赤色読取光用補正値３３Ｒ、緑色読取光用補正値３３Ｇ、青色読取光用補正値３３Ｂ、紫外線読取光用第１補正値３３ＵＶ１を設定する第１キャリブレーションと、紫外線読取光用第２補正値３３ＵＶ２を設定する第２キャリブレーションが行われる。
【００４７】
第１キャリブレーションでは、基準部材を搬送路１７の画像読取位置Ｂに挿入して、各読取光（赤色読取光、緑色読取光、青色読取光、および、紫外線読取光）をこの順番で所定の間隔で順次に基準部材に照射して、紫外線読取光が照射されている基準部材の表面をイメージセンサー１６に読み取らせる読取動作を行う。所定の間隔とは、第１動作モードにおける４つの読取光の照射間隔に対応する間隔である。また、第１キャリブレーションでは、この読取動作を複数回繰り返す。基準部材は、例えば、表面が白色のシート状の部材である。
【００４８】
ここで、補正値設定部４０は、各読取動作において各読取光が照射されている間に読取部２６に蓄積された読取情報を読取光毎に取得する。また、補正値設定部４０は、読取光毎に取得した複数の読取情報からその平均値を求め、読取光毎の読取情報の平均値と、読取光毎に予め設定した基準読取情報とを比較する。そして、補正値設定部４０は、各読取光について、読取情報の平均値を基準読取情報に補正する値（例えば、読取情報の平均値と基準読取情報の差分）を補正値として設定する。これにより、赤色読取光用補正値３３Ｒ、緑色読取光用補正値３３Ｇ、青色読取光用補正値３３Ｂ、紫外線読取光用第１補正値３３ＵＶ１が設定される。
【００４９】
第２キャリブレーションでは、基準部材を搬送路１７の画像読取位置Ｂに挿入し、紫外線読取光を単独で基準部材に照射して、紫外線読取光が照射されている基準部材の表面をイメージセンサー１６に読み取らせる読取動作を行う。また、第２キャリブレーションでは、この読取動作を複数回繰り返す。
【００５０】
ここで、補正値設定部４０は、各読取動作において紫外線読取光が照射されている間に読取部２６に蓄積された読取情報を取得する。また、補正値設定部４０は、取得された複数の読取情報からその平均値を求め、読取情報の平均値と、紫外線読取光について予め設定した基準読取情報とを比較する。そして、補正値設定部４０は、紫外線読取光について、読取情報の平均値を基準読取情報に補正する値（例えば、読取情報の平均値と基準読取情報の差分）を補正値として設定する。これにより、紫外線読取光用第２補正値３３ＵＶ２が設定される。
【００５１】
なお、各補正値３３Ｒ、３３Ｇ、３３Ｂ、３３ＵＶ１、３３ＵＶ２は、読取部２６（撮像素子）の画素毎に設定される。各補正値３３Ｒ、３３Ｇ、３３Ｂ、３３ＵＶ１、３３ＵＶ２は、関数や表の形態で設定されることがある。
【００５２】
次に、制御装置７は、小切手処理装置制御部５１、および、決済処理部５２を備える。小切手処理装置制御部５１は、小切手処理装置５の動作モードを第１動作モードまたは第２動作モードに設定する動作モード設定命令を小切手処理装置５に送信する。また、小切手処理装置制御部５１は、小切手処理装置５に小切手処理動作を開始させる処理動作開始命令を送信する。
【００５３】
決済処理部５２は、小切手処理装置５の動作モードが第１動作モードに設定されている場合には、小切手処理装置５から受信した口座番号などの磁気情報、入力装置９を介して制御装置７への入力される金額などの入力情報に基づいて決済処理を行う。また、決済処理部５２は、小切手処理装置５から受信した第１の表面画像Ｇ１および第２の表面画像Ｇ２をディスプレイ１０に表示する。さらに、決済処理部５２は、決済の日付、磁気情報および入力情報などを含む決済情報と関連付けてこれらの表面画像Ｇ１、Ｇ２を記憶保持する。
【００５４】
また、決済処理部５２は、小切手処理装置５の動作モードが第２動作モードに設定されている場合には、小切手処理装置５から受信した表面画像Ｇをディスプレイ１０に表示する。そして、決済処理部５２は、小切手２が持ち込まれた日付などと関連付けて、表面画像Ｇを記憶保持する。
【００５５】
（小切手処理動作）
図３は小切手処理装置５により取得される小切手２の表面画像の説明図である。小切手２が持ち込まれた金融機関で決済処理を行う際には、制御装置７から小切手処理装置５に動作モード設定命令を送信して、小切手処理装置５の動作モードを第１動作モードに設定する。次に、小切手２を小切手処理装置５の搬送路１７に挿入して、制御装置７から小切手処理装置５に処理動作開始命令を送信する。
【００５６】
これにより、小切手処理装置５は、小切手２を搬送路１７に沿って搬送して、小切手２に印刷された磁気インク文字１１を磁気センサー１５で読み取って磁気情報を取得する。また、小切手処理装置５は、小切手２の表面２ａをイメージセンサー１６で読み取って第１の表面画像Ｇ１および第２の表面画像Ｇ２を取得する。さらに、小切手処理装置５は、磁気情報、第１の表面画像Ｇ１および第２の表面画像Ｇ２を制御装置７に送信する。
【００５７】
制御部３１が小切手処理装置５から磁気情報、第１の表面画像Ｇ１および第２の表面画像Ｇ２を受信すると、ディスプレイ１０に第１の表面画像Ｇ１および第２の表面画像Ｇ２が表示される。第１の表面画像Ｇ１および第２の表面画像Ｇ２は、例えば、図３（ａ）に示すものとなる。図３（ａ）の上側の図は第１動作モードにおいて可視光線読取光を照射した場合に取得される第１の表面画像Ｇ１の説明図である。図３（ａ）の下側の図は紫外線読取光を照射した場合に取得される第２の表面画像Ｇ２の説明図である。
【００５８】
オペレーターはディスプレイ１０に表示される第２の表面画像Ｇ２に基づいて小切手２の真贋を確認する。すなわち、オペレーターは第２の表面画像Ｇ２に現れている偽造防止用画像１２をディスプレイ１０上で確認する。また、オペレーターは、第１の表面画像Ｇ１または小切手２に基づいて表書きなどを確認して、決済に必要な情報を、入力装置９を介して装置本体８に入力する。決済に必要な情報が入力されると、この入力情報と磁気情報に基づいて決済処理が行われる。決済が完了すると、制御装置７は、第１の表面画像Ｇ１と第２の表面画像Ｇ２を、決済の日付、磁気情報および入力情報などを含む決済情報と関連付けて記憶保持する。
【００５９】
次に、小切手２が持ち込まれた金融機関で小切手２の真贋判定処理を行う際には、制御装置７から小切手処理装置５に動作モード設定命令を送信して、小切手処理装置５の動作モードを第２動作モードに設定する。次に、小切手２を小切手処理装置５の搬送路１７に挿入して、制御装置７から小切手処理装置５に処理動作開始命令を送信する。
【００６０】
これにより、小切手処理装置５は、小切手２を搬送路１７に沿って搬送して、小切手２の表面２ａをイメージセンサー１６で読み取って表面画像Ｇを取得する。さらに、小切手処理装置５は、この表面画像を制御装置７に送信する。
【００６１】
制御部３１が小切手処理装置５から表面画像Ｇを受信すると、ディスプレイ１０に表面画像Ｇが表示される。ディスプレイ１０に表示される表面画像Ｇは、例えば、図３（ｂ）に示すものとなる。図３（ｂ）は第２動作モードにおいて紫外線読取光を照射した場合に取得される表面画像Ｇの説明図である。
【００６２】
オペレーターは、ディスプレイ１０に表示される表面画像Ｇに基づいて小切手２の真贋を確認する。すなわち、オペレーターは表面画像Ｇに現れている偽造防止用画像１２をディスプレイ１０上で確認する。制御装置７は、表面画像Ｇと小切手２が持ち込まれた日付を関連付けて記憶保持する。
【００６３】
（効果）
本例では、第１動作モードにおいて小切手２の表面２ａに紫外線読取光を照射した第２の表面画像Ｇ２を取得する場合と、第２動作モードにおいて小切手２の表面２ａに紫外線読取光を照射した表面画像Ｇを取得する場合で、読取部２６から出力される読取情報を異なる補正値（第１補正値または第２補正値）を用いて補正して表面画像を取得する。従って、第１動作モードで取得した第２の表面画像Ｇ２と、読取光の発光形態が第１動作モードとは異なる第２動作モードで取得した表面画像Ｇとが、同一の画像、または、ほとんど差異のない画像となる。
【００６４】
また、本例では、キャリブレーションにおいて、赤色読取光用補正値３３Ｒ、緑色読取光用補正値３３Ｇ、紫外線読取光用補正値、紫外線読取光用第１補正値３３ＵＶ１および紫外線読取光用第２補正値３３ＵＶ２を設定し、これらの補正値を補正値記憶部３３に記憶保持する。これにより、読取情報補正部３８は記憶部を参照して各補正値３３Ｒ、３３Ｇ、３３Ｂ、３３ＵＶ１、３３ＵＶ２を取得できるので、読取情報を補正して補正読取情報とすることが容易である。
【００６５】
ここで、第１動作モードにおいて小切手２の表面２ａに紫外線読取光を照射した第２の表面画像Ｇ２を取得する場合と第２動作モードにおいて小切手２の表面２ａに紫外線読取光を照射した表面画像Ｇを取得する場合で同一の補正値を用いると、第２の表面画像Ｇ２と表面画像Ｇが相違するものとなることがある。図３（ｃ）は、第１動作モードで紫外線読取光を照射した第２の表面画像を取得する際に補正値として紫外線読取光用第２補正値３３ＵＶ２を用いた場合に、画像取得部３９によって取得される取得画像の説明図である。図３（ｃ）に示すように、第１動作モードで第２の表面画像の取得に紫外線読取光用第２補正値３３ＵＶ２を用いた場合には、取得される画像Ｇ３は、第２動作モードにおいて取得される表面画像Ｇと比較して、取得画像Ｇ３の全体の明度（輝度）が高くなっており、偽造防止用画像１２を認識し難くなる。
【００６６】
（その他の実施の形態）
小切手処理装置５は、第１動作モードにおいて、画像読取位置Ｂで小切手２を読取解像度に対応する１ライン分の搬送量だけ搬送する間に、小切手２の表面２ａに赤色読取光と紫外線読取光を順次に照射して、小切手２の表面２ａに赤色読取光を照射した第１の表面画像と、紫外線読取光を照射した第２の表面画像Ｇ２を取得するものとすることができる。同様に、第１動作モードにおいて、小切手２の表面２ａに緑色読取光と紫外線読取光を順次に照射して、小切手２の表面２ａに緑色読取光を照射した第１の表面画像と、紫外線読取光を照射した第２の表面画像Ｇ２を取得するものとすることができる。また、第１動作モードにおいて、小切手２の表面２ａに青色読取光と紫外線読取光を順次に照射して、小切手２の表面２ａに青色読取光を照射した第１の表面画像と、紫外線読取光を照射した第２の表面画像Ｇ２を取得するものとすることもできる。さらに、第１動作モードにおける第１の表面画像としてカラーの表面画像を取得するものとすることもできる。いずれの場合においても、第１動作モードで紫外線読取光を照射した第２の表面画像Ｇ２を取得する際には、補正値として紫外線読取光用第１補正値３３ＵＶ１を用い、第２動作モードで紫外線読取光を照射した表面画像Ｇを取得する際には、補正値として紫外線読取光用第２補正値３３ＵＶ２を用いれば、第１動作モードで取得する第２の表面画像と第２動作モードで取得する表面画像の間に差異が現われることを防止或いは抑制できる。
【００６７】
なお、小切手処理装置５としては、画像読取位置Ｂにおいて搬送路１７を挟んで対峙する一対のイメージセンサー１６を備え、小切手２の表面画像および裏面画像を取得するものとしてもよい。また、第１の表面画像Ｇ１に基づいて、小切手２の表面２ａに記載された文字などを画像認識する画像認識部を搭載するものとすることができる。さらに、小切手処理システム１としては、小切手処理装置５における磁気情報認識部３７および画像取得部３９を制御装置７の側に搭載する構成を採用することもできる。この場合には、小切手処理装置５から制御装置７に磁気読取情報及び補正読取情報を送信するものとする。
【符号の説明】
【００６８】
１・・小切手処理システム（画像読取システム）、２・・小切手（媒体）、２ａ・・表面、５・・小切手処理装置（画像読取装置）、６・・ケーブル、７・・制御装置、８・・装置本体、９・・入力装置、１０・・ディスプレイ、１１・・磁気インク文字、１２・・偽造防止用画像、１５・・磁気センサー、１６・・イメージセンサー、１７・・搬送路、１８・・搬送機構、１９・・搬送ローラー対、２０・・搬送モーター、２１・・磁気読取面、２５・・発光部、２５Ｒ・・赤色発光素子（第２の光源）、２５Ｇ・・緑発光素子（第２の光源）、２５Ｂ・・青色発光素子（第２の光源）、２５ＵＶ・・紫外線発光素子（第１の光源）、２６・・読取部（撮像素子）、３１・・制御部、３２・・通信部、３３・・補正値記憶部、３３Ｒ・・赤色読取光用補正値、３３Ｇ・・緑色読取光用補正値、３３Ｂ・・青色読取光用補正値、３３ＵＶ１・・紫外線読取光用第１補正値（第１補正値）、３３ＵＶ２・・紫外線読取光用第２補正値（第２補正値）、３５・・モード設定部、３６・・駆動制御部、３７・・磁気情報認識部、３８・・読取情報補正部、３９・・画像取得部、４０・・補正値設定部、５１・・小切手処理装置制御部、５２・・決済処理部、Ａ・・磁気読取位置、Ｂ・・画像読取位置、Ｃ・・小切手の搬送方向、Ｇ・Ｇ１・Ｇ２・・表面画像
【図１】
2016010022.tif 000003
【図２】
2016010022.tif 000004
【図３】
2016010022.tif 000005